(57)【要約】【課題】複数の湯出路に対して同時に給湯を行った場合でも、給湯温度を迅速に安定させる給湯温度制御装置を提供する。【解決手段】湯流路１と水流路２からの湯水を混合する混合弁３１、６１を備えた複数の湯出路３、６と、湯出路３、６の温度を各々検出する温度センサ３２、６２と、温度センサ３２、６２の出力に基づいて混合弁３１、６１を制御する制御手段１０とを備え、制御手段１０は、２つ以上の混合弁３１、６１が同時に作動するとき、影響度の高い混合弁の制御量を、影響度の低い混合弁の制御量に反映させることによって、自身の湯出路に備えられた温度センサによるフィードバック制御に加えて、他方の湯出路に備えられた混合弁の開度による湯量および水量の変化の影響をあらかじめ反映した制御ができるので、複数の湯出路への同時給湯を行った際にも安定した給湯温度制御を行うことができる。【選択図】図１
2005172257.tif 000002
【特許請求の範囲】
【請求項１】
湯流路と水流路からの湯水を混合する混合弁を備えた複数の湯出路と、前記湯出路の温度を各々検出する温度センサと、前記温度センサの出力に基づいて前記混合弁を制御する制御手段とを備え、前記制御手段は、２つ以上の前記混合弁が同時に作動するとき、影響度の高い混合弁の制御量を、影響度の低い混合弁の制御量に反映させることを特徴とする給湯温度制御装置。
【請求項２】
制御手段は、混合弁の作動開始が遅い混合弁を影響度の高い混合弁として制御することを特徴とする請求項１に記載の給湯温度制御装置。
【請求項３】
制御手段は、更に、影響度の高い混合弁の作動速度が所定の速度以上の場合のみ、影響度の高い混合弁の制御量を、影響度の低い混合弁の制御量に反映させることを特徴とする請求項１または２に記載の給湯温度制御装置。
【請求項４】
制御手段は、更に、影響度の高い混合弁の作動開始から所定の期間内のみ、影響度の高い混合弁の制御量を、影響度の低い混合弁の制御量に反映させることを特徴とする請求項１〜３のいずれか１項に記載の給湯温度制御装置。
【請求項５】
制御手段は、更に、影響度の高い混合弁を備えた湯出路の温度センサの検出温度と制御目標温度との差が所定の温度差よりも大きいときのみ、影響度の高い混合弁の制御量を、影響度の低い混合弁の制御量に反映させることを特徴とする請求項１〜４のいずれか１項に記載の給湯温度制御装置。
【請求項６】
湯出路は、浴槽に接続された浴槽給湯路と、一般蛇口に接続された一般給湯路とを含み、前記浴槽給湯路には開閉弁を備えたことを特徴とする請求項１〜５のいずれか１項に記載の給湯温度制御装置。
【請求項７】
制御手段は、更に、浴槽給湯路に備えられた混合弁を影響度の高い混合弁として、一般給湯路に備えられた混合弁を影響度の低い混合弁として制御することを特徴とする請求項６に記載の給湯温度制御装置。
【発明の詳細な説明】
【技術分野】
【０００１】
本発明は、浴槽や台所等に給湯を行う給湯装置において、給湯温度を安定に制御することができる給湯温度制御装置に関する。
【背景技術】
【０００２】
従来、この種の給湯温度制御装置は、一般蛇口給湯用の混合弁と浴槽給湯用の混合弁をそれぞれに設けることによって、各給湯温度を互いに独立に制御することができるようになっている（例えば、特許文献１参照）。
【０００３】
図１は、前記特許文献１に記載された従来の給湯温度制御装置を備えた給湯装置の配管も含めたシステム構成図である。
【０００４】
図１において、１は温源に接続され湯を供給する湯流路、２は水源に接続され水を供給する水流路である。３は浴槽給湯路であり、浴槽アダプタ４を介して浴槽５に接続されている。浴槽給湯路３は、浴槽５へ供給するお湯を適温にするための浴槽混合弁３１と、浴槽５への給湯温度を検出する浴槽温度センサ３２と、浴槽５への給湯量を測定する浴槽流量センサ３３と、浴槽５への給湯を開始又は停止するための開閉弁３４を備えている。
【０００５】
６は一般蛇口給湯路であり、蛇口７に接続されている。一般蛇口給湯路６は、蛇口７へ供給するお湯を適温にするための蛇口混合弁６１と、蛇口７への給湯温度を検出する蛇口温度センサ６２とを備えている。
【０００６】
８は浴室リモコン、９は台所リモコンであり、給湯温度の設定や浴槽への給湯の開始又は停止等の操作を行うことができる。１０は全体の制御を行う制御部である。
【０００７】
次に、動作について説明する。一般蛇口からの給湯動作、例えば台所の蛇口７を開くと、制御部１０は、蛇口混合弁６１に対して、設定されている蛇口給湯温度となるように蛇口温度センサ６２の入力値に基づいたフィードバック制御を行い、湯流路１および水流路２よりそれぞれ供給される湯と水を適温に混合して蛇口７へ供給する。
【０００８】
浴槽５への給湯動作としては、湯張り、高温差し湯、足し湯、差し水の４つのパターンがある。例えば、浴室リモコン８の高温差し湯スイッチが押されると、制御部１０は開閉弁３４を開いて浴槽５への給湯を開始すると同時に、浴槽混合弁３１を湯側一杯に開いていき、湯源の湯を直接供給するように制御する。浴槽５への高温差し湯開始後、流量センサ３３により、積算流量をカウントし、一定量に到達すると、開閉弁３４を閉じさせて高温差し湯を完了する。
【０００９】
続いて、同時給湯を行った場合の動作について説明する。例えば、蛇口７へ給湯温度４０℃でお湯が供給されている最中に、浴槽５に対して高温差し湯が開始されたとする。蛇口混合弁６１は蛇口温度センサ６２の検出温度が４０℃になるように調節されており、湯流路１から所定の湯量が、そして水流路２から所定の水量が供給された状態となっている。このときに、浴槽５へ高温差し湯が開始されると、制御部１０は開閉弁３４を開くとともに、浴槽混合弁３１を湯側一杯に開いいき、湯源の湯を直接供給しようとする。
【特許文献１】特開平１１−２１１２２０号公報
【発明の開示】
【発明が解決しようとする課題】
【００１０】
しかしながら、前記従来の構成では、一般蛇口給湯路６での給湯を行っている最中に、浴槽給湯路３への高温差し湯を行い、浴槽給湯路３の開閉弁３４を開き、その後に浴槽混合弁３０を湯側一杯まで高速に開いていくと、浴槽給湯路３に流れる湯流路１の湯が急激に増加していく。そして、その影響として一般蛇口給湯路６へ湯流路１から供給される湯量が急激に減少し、結果として一般蛇口給湯路６の給湯温度に著しいアンダーシュートが発生したり、またそのアンダーシュートが長時間継続してしまうという課題を有していた。
【００１１】
なお、湯張り、足し湯、差し水を行った際にも同様の原因で、オーバーシュートあるいはアンダーシュートが発生する。
【００１２】
本発明は、前記従来の課題を解決するもので、浴槽と一般蛇口への同時給湯時にも安定した温度で給湯できる給湯温度制御装置を提供することを目的とする。
【課題を解決するための手段】
【００１３】
前記従来の課題を解決するために、本発明の給湯温度制御装置は、湯流路と水流路からの湯水を混合する混合弁を備えた複数の湯出路と、湯出路の温度を各々検出する温度センサと、温度センサの出力に基づいて混合弁を制御する制御手段とを備え、制御手段は、２つ以上の混合弁が同時に作動するとき、影響度の高い混合弁の制御量を、影響度の低い混合弁の制御量に反映させるようにしたものである。
【００１４】
これによって、自身の湯出路に備えられた温度センサによるフィードバック制御に加えて、他方の湯出路に備えられた混合弁の開度変化に起因して発生する湯量および水量の変化の影響をあらかじめ反映した制御ができるので、複数の湯出路への同時給湯を行った際にも安定した給湯温度制御を行うことができる。
【発明の効果】
【００１５】
本発明の給湯温度制御装置は、複数の湯出路に対して同時に給湯を行った場合でも、それぞれの湯出路の給湯温度を迅速に安定させることができ、安全性に優れ、かつ使い勝手のよい給湯器を実現することができる。
【発明を実施するための最良の形態】
【００１６】
第１の発明は、湯流路と水流路からの湯水を混合する混合弁を備えた複数の湯出路と、湯出路の温度を各々検出する温度センサと、温度センサの出力に基づいて混合弁を制御する制御手段とを備え、制御手段は、２つ以上の混合弁が同時に作動するとき、影響度の高い混合弁の制御量を、影響度の低い混合弁の制御量に反映させることにより、それぞれの湯出路の給湯温度を迅速に安定させるので、安全性に優れかつ使い勝手のよい給湯器を実現することができる。
【００１７】
第２の発明は、特に、第１の発明の制御手段を、制御手段は、混合弁の作動開始が遅い混合弁を影響度の高い混合弁として制御することにより、第一の湯出路にて給湯を行っている最中に、第２の湯出路の給湯を開始もしくは停止した際に発生する、湯流路および水流路の外乱の第一の湯出路に対する影響を積極的に抑えるので、外乱が発生した時に迅速な温度制御を行うことができる。
【００１８】
第３の発明は、特に、第１または第２の発明の制御手段を、更に、影響度の高い混合弁の作動速度が所定の速度以上の場合のみ、影響度の高い混合弁の制御量を、影響度の低い混合弁の制御量に反映させることにより、湯流路および水流路の外乱が急激である時のみ、その外乱による影響を積極的に抑え、外乱が緩慢である時には、温度センサによるフィードック制御のみで対応するので、通常時の温度安定性を損なうことなく、外乱が発生した時のみ確実に迅速な温度制御を行うことができる。
【００１９】
第４の発明は、特に、第１〜第３のいずれか１つの発明の制御手段を、更に、影響度の高い混合弁の作動開始から所定の期間内のみ、影響度の高い混合弁の制御量を、影響度の低い混合弁の制御量に反映させることにより、湯流路および水流路の外乱が発生してから一定期間のみ、その外乱による影響を積極的に抑え、外乱が発生してから十分に時間が経過した後は、温度センサによるフィードバック制御のみで対応するので、通常時の温度安定性を損なうことなく、外乱が発生した時のみ確実に迅速な温度制御を行うことができる。
【００２０】
第５の発明は、特に、第１〜第４のいずれか１つの発明の制御手段を、更に、影響度の高い混合弁を備えた湯出路の温度センサの検出温度と制御目標温度との差が所定の温度差よりも大きいときのみ、影響度の高い混合弁の制御量を、影響度の低い混合弁の制御量に反映させることにより、湯流路および水流路の外乱が大きい時のみ、その外乱による影響を積極的に抑え、外乱が小さい時には、温度センサによるフィードック制御のみで対応するので、通常時の温度安定性を損なうことなく、外乱が発生した時のみ確実に迅速な温度制御を行うことができる。
【００２１】
第６の発明は、特に、第１〜５のいずれか１つの発明の湯出路を、浴槽に接続された浴槽給湯路と、一般蛇口に接続された一般給湯路とを含み、前記浴槽給湯路には開閉弁を備えたことにより、浴槽給湯を開閉弁で行うような給湯器においても、それぞれの湯出路の給湯温度を迅速に安定させるので、安全性に優れかつ使い勝手のよい給湯器を実現することができる。
【００２２】
第７の発明は、特に、第６の発明の制御手段を、更に、浴槽給湯路に備えられた混合弁を影響度の高い混合弁として、一般給湯路に備えられた混合弁を影響度の低い混合弁として制御することにより、一般給湯路にて給湯を行っている最中に、浴槽給湯路の給湯を開始もしくは停止した際に発生する、湯流路および水流路の外乱の一般給湯路に対する影響を積極的に抑えるので、一般給湯路の給湯温度を確実かつ迅速に安定させることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における給湯温度制御装置を備えた給湯装置の配管も含めたシステム構成図であり、構成は従来例と同一であるので、説明は省略する。
【００２５】
図２は本実施の形態の浴槽混合弁３１および蛇口混合弁６１に用いる比例式混合弁の構成図である。比例式混合弁は、入口２０１ が湯流路１に、入口２０２ が水流路２に接続されており、弁体２０４を正逆に回転させることにより、弁体の開口部２０５を介して湯流路１の入口２０１、水流路２の入口２０２を出口２０３に連続的に連通させる（図２−Ａ）。すなわち、弁体２０４は、水流路２の入口２０２ を全開にし、湯流路１の入口２０１ を全閉にして湯流路１の開度θ＝０％（図２−Ｂ）を実現し、水流路２の入口２０２ を全閉にし、湯流路１の入口２０１ を全開にして開度θ＝１００％（図２−Ｄ）を実現するまで、湯流路１の開度θを正逆に連続的に変化させることができる。
【００２６】
次に、動作について説明する。蛇口７からの給湯湯温は、予め台所リモコン９又は浴室リモコン８で設定されている。また蛇口給湯湯温は、最高設定湯温に上限値（例えば６０℃）を設け、瞬間火傷を防止するような配慮がなされている。
【００２７】
一般蛇口からの給湯動作、例えば台所の蛇口７を開くと、制御部１０は蛇口混合弁６１に対して、設定されている蛇口給湯温度となるように蛇口温度センサ６２の入力値に基づくフィードバック制御を行い、湯流路１および水流路２よりそれぞれ供給される湯と水を適温に混合して蛇口７へ供給する。
【００２８】
ここで、蛇口混合弁６１の温度制御動作について、詳しく説明する。例えば、台所リモコン９で蛇口給湯温度が４０℃に設定されている場合、蛇口温度センサ６２の検出温度Ｔ１＜４０℃の状態のときは、蛇口混合弁６１を開度θ１が大きくなる方向に、検出温度Ｔ１＞４０℃の状態のときは、開度θ１が小さくなる方向に弁体２０４を駆動することによって、開口部２０５の湯流路１と水流路２に対する面積比を変化させて４０℃での給湯を行う。このとき、検出温度Ｔ１と設定温度４０℃との偏差ΔＴ１が大きい場合には、弁体２０４の駆動速度ｖ１を速く、偏差ΔＴ１が小さい場合には駆動速度ｖ１を遅くすることによって、応答性と安定性を両立させて温度制御を行うことができる。また、偏差ΔＴ１が４０±１℃の範囲内であれば、弁体２０４の駆動は行わないようにすることによって、蛇口混合弁６１のハンチング動作を防止することができる（表１）。
【００２９】
【表１】
2005172257.tif 000003
浴槽５への給湯湯温は、予め浴室リモコン８で設定される。浴槽５への給湯動作としては、湯張り、高温差し湯、足し湯、差し水の４つのパターンがある。
【００３０】
湯張り動作を行うには、まず浴室リモコン８で、湯張りスイッチを押す。これにより湯張りの指令が出力され、制御部１０が、開閉弁３４を開いて浴槽５への給湯を開始し、その後に浴槽温度センサ３２の検出温度が浴室リモコン８で設定されている浴槽温度となるように浴槽給湯混合弁３１に対してフィードバック制御を行う。浴槽５への湯張り開始後、流量センサ３３により、積算流量をカウントし、浴室リモコン８であらかじめ設定された浴槽湯量に到達するまで、湯張りを継続する。積算流量が、設定された浴槽湯量に到達すると、開閉弁３４を閉じさせて湯張りを完了する。
【００３１】
浴槽５内のお湯の温度が下がった時に高温差し湯を行うには、まず浴室リモコン８で、高温差し湯スイッチを押す。これにより高温差し湯の指令が出力され、制御部１０が、開閉弁３４を開いて浴槽５への給湯を開始する。その後に、浴槽温度センサ３２の検出温度が高温（例えば８０℃）になるように、浴槽給湯混合弁３１に対してフィードバック制御を行う、もしくはフィードバック制御は行わず、浴槽混合弁３１を湯側一杯に開き、湯源の湯を直接供給するようにする。浴槽５への高温差し湯開始後、流量センサ３３により、積算流量をカウントし、一定量（例えば２０Ｌ）に到達すると、開閉弁３４を閉じさせて高温差し湯を完了する。
【００３２】
また、浴槽５内のお湯の量が減った時に足し湯を行うには、まず浴室リモコン８で、足し湯スイッチを押す。これにより足し湯の指令が出力され、制御部１０が、開閉弁３４を開いて浴槽５への給湯を開始し、その後に浴槽温度センサ３２の検出温度が浴室リモコン８で設定されている浴槽温度となるように浴槽給湯混合弁３１に対してフィードバック制御を行う。浴槽５への足し湯開始後、流量センサ３３により、積算流量をカウントし、一定量（例えば２０Ｌ）に到達すると、開閉弁３４を閉じさせて足し湯を完了する。
【００３３】
差し水を行うには、まず浴室リモコン８で、差し水スイッチを押す。これによりぬるめの指令が出力され、制御部１０が、開閉弁３４を開き、その後に浴槽混合弁３１を水側一杯に開き、水源の水を直接給水するように制御する。浴槽５への差し水開始後、流量センサ３２により、積算流量をカウントし、一定量（例えば２０Ｌ）に到達すると、開閉弁３４を閉じさせて差し水を完了する。
【００３４】
浴槽混合弁３１の温度制御動作の詳細は、先に述べた蛇口混合弁６１と同一であるので、説明は省略する。
【００３５】
続いて、同時給湯を行った場合の動作について説明する。例えば、蛇口７へ給湯温度４０℃でお湯が供給されている最中に、浴槽５に対して給湯温度８０℃で高温差し湯が開始されたとする。蛇口混合弁６１は蛇口温度センサ６２の検出温度が４０℃になるように調節されており、湯流路１から所定の湯量がそして水流路２から所定の水量が供給された状態となっている。このときに、浴槽５へ給湯温度８０℃で高温差し湯が開始されると、制御部１０は開閉弁３４を開く。そして、浴槽混合弁３１を浴槽温度センサ３２の検出温度が８０℃になるように調節しようとし、それと同時に蛇口混合弁６１も調節しようとする。
【００３６】
例えば、高温差し湯開始直後に浴槽温度センサ３２が検出した温度Ｔ２＝４０℃であれば、設定８０℃との偏差ΔＴ２＞１０℃であるので、浴槽混合弁６１の開度θ２が大きくなるように駆動速度ｖ２＝１５［開度％／ｓ］で高速駆動を行う。この動作によって、浴槽湯流路１への湯流路１から供給される湯量が急激に増加していくので、一般蛇口給湯路６へ供給される湯量が急激に減少する。しかし、同時に、蛇口混合弁６１の開度θ１も大きくなるように駆動しているので、蛇口混合弁６１で混ぜ合わせる湯と水の比率は湯側が大きくなってきており、湯流路１より一般蛇口給湯路６へ供給される湯量が急激に減少していくことによって発生する一般蛇口湯流路１の給湯温度のアンダーショートを防止もしくは、そのアンダーシュートの絶対量を低減、および発生時間の短縮を実現することができる。
【００３７】
ここで、蛇口混合弁６１の駆動速度ｖ１’は浴槽混合弁３１の駆動速度ｖ１に応じて決定し、その絶対値は実験的に求めるが、例えば、浴槽混合弁３１の１／２の速度で駆動するというように、浴槽混合弁３１の駆動速度より遅くするのが好ましい。浴槽混合弁３１の駆動速度よりも速い速度で蛇口混合弁６１を駆動すると、逆に蛇口混合弁６１の動作による影響が浴槽湯流路１に発生する恐れがあるためである。
【００３８】
また、制御部１０は、蛇口混合弁６１に対して、高温差し湯開始時に、上記に示した浴槽混合弁３１に連動した制御に加え、通常時どおりの蛇口温度センサ６２によるフィードバック制御を行ってもよい。例えば、通常のフィードバック制御による速度成分ｖ１と浴槽混合弁３１の動作に連動した速度成分ｖ１’を加算した駆動速度ｖ２’’＝ｖ２＋ｖ２’で制御すればよい。この場合には、通常の温度制御による駆動速度成分ｖ２が存在するので、浴槽混合弁３１に連動した駆動速度成分ｖ２’はｖ２の１／２よりも遅くする方が好ましい。
【００３９】
また、上記に示した蛇口混合弁６１に対する浴槽混合弁３１に連動した制御は、浴槽混合弁３１の駆動速度が特に速いときのみ、本実施例であれば、例えばｖ２＝１５［開度％／ｓ］である高速駆動中のみ行うようにしてもよい。この場合、浴槽混合弁３１の駆動に起因する湯流路１の湯量変動が最も大きいときのみ、連動した制御を行うので、一般蛇口給湯路６における通常の温度制御への影響を及ぼすことなく、高温差し湯開始時のアンダーシュートを改善することができる。
【００４０】
また、上記に示した蛇口混合弁６１に対する浴槽混合弁３１に連動した制御は、浴槽温度センサ３２の検出温度Ｔ２と設定温度との偏差ΔＴ２が大きいときのみ行っても、同様に、浴槽混合弁３１の駆動に起因する湯流路１の湯量変動が最も大きいときのみ、連動した制御を行うことができるので、一般蛇口給湯路６における通常の温度制御への影響を及ぼすことなく、高温差し湯開始時のアンダーシュートを改善することができる。
【００４１】
また、上記に示した蛇口混合弁６１に対する浴槽混合弁３１に連動した制御は、高温差し湯を開始してから所定の期間のみ行うようにしてもよい。所定の期間は実際にアンダーシュートが発生している期間を測定して決定する。この場合、浴槽混合弁３１の駆動に起因する湯流路１の供給湯量変動が発生している時のみ確実に、前述の連動した制御を行うことができるので、一般蛇口給湯路６における通常の温度制御への影響を及ぼすことなく、高温差し湯開始時のアンダーシュートを改善することができる。
【００４２】
なお、ここまでは、高温差し湯を開始時に、開閉弁３４を開き、その後に浴槽混合弁３１を検出温度Ｔ２が８０℃になるまで駆動していく間に継続的に発生する湯流路１からの供給湯量の変動について述べたが、浴槽混合弁３１の開度θ２の値によっては、開閉弁３４を開いた瞬間にも、アンダーシュート／オーバーシュートが発生する。例えば、高温差し湯開始時の浴槽温度センサ３２の検出温度Ｔ２＝９０℃であった場合を考えてみる。湯流路１の湯の温度が９０℃、水流路２の水の温度が２０℃であったとすれば、この時の浴槽混合弁３１の開度θ２＝１００％である。つまり、開閉弁３４を開いた瞬間に湯流路１から大量の湯が浴槽給湯路３に流れ、一般蛇口給湯路６への湯の供給量が減少し、結果的に一般蛇口給湯路６の給湯温度にアンダーシュートが発生してしまう。
【００４３】
逆に高温差し湯開始時の浴槽温度センサ３２の検出温度Ｔ２＝２０℃であった場合は、浴槽混合弁３１の開度θ２＝０％である。今度は逆に、開閉弁３４を開いた瞬間に水流路２から大量の水が浴槽給湯路３に流れ、一般蛇口給湯路６への水の供給量が減少し、結果的に一般蛇口給湯路６の給湯温度にオーバーシュートが発生する。このように、開閉弁３４が開いた瞬間のオーバーシュート／アンダーシュートが最大値をとるのは、浴槽混合弁３１の開度θ２が前述のように湯側、水側に著しく偏った時である。そこで、開閉弁３４を開く際には浴槽混合弁３１の開度θ＝５０％（図２−Ｃ）もしくは、その近傍とすれば、その影響の最大値を抑えることができる。
【００４４】
なお、本実施例では、一般蛇口給湯路６にて給湯中に、浴槽５へ高温差し湯を開始した場合を例にあげて説明したが、湯張り、足し湯、差し水についても、蛇口７への給湯温度と浴槽５への給湯温度の関係から、発生する現象がオーバーシュートとアンダーシュートといったように異なるだけであり、同様の制御を行うことによって、オーバーシュート／アンダーシュートを改善することができる。
【００４５】
なお、本実施例では、一般蛇口給湯路６にて給湯中に、浴槽５へ高温差し湯を開始する場合を例に挙げて説明したが、同時給湯中に高温差し湯を終了する場合についても同様である。例えば、高温差し湯を終了するときに、開閉弁３４の開閉による影響の最大値が小さくなる開度θ２＝５０％まで浴槽混合弁３１を駆動してから開閉弁３４を閉じる場合、高温差し湯開始時とは逆に、浴槽混合弁３１の開度が水側に高速駆動するため水流路２から供給される水量が変動しオーバーシュートが発生する。オーバーシュートとアンダーシュートの違いはあるが、原理は同様であり、本実施例の制御を行うことによって改善できる。
【００４６】
なお、本実施例では、一般蛇口給湯路６にて給湯中に、浴槽５へ高温差し湯を開始した場合を例にあげて説明したが、逆に、浴槽５への給湯中に、蛇口７への給湯を開始した場合についても同様に適用することができる。
【００４７】
本発明の実施の形態においては、浴槽給湯路３および一般蛇口給湯路３が複数の湯出路に相当し、浴槽混合弁３１および蛇口混合弁６１が混合弁に相当し、制御部１０が制御手段に相当する。
【産業上の利用可能性】
【００４８】
以上のように、本発明にかかる給湯温度制御装置を備えた給湯装置は、複数の湯出路に対して同時に給湯を行った場合でも、それぞれの湯出路の給湯温度を迅速に安定させることができ、安全性に優れかつ使い勝手のよい給湯器を実現することができる。
【図面の簡単な説明】
【００４９】
【図１】本発明の実施の形態における給湯装置のシステム構成図
【図２】同給湯装置における比例式混合弁の構成図
【符号の説明】
【００５０】
１  湯流路
２  水流路
３  浴槽給湯路
５  浴槽
６  一般蛇口給湯路
７  蛇口
１０  制御部
３１  浴槽混合弁
３２  浴槽温度センサ
３４  開閉弁
６１  蛇口混合弁
６２  蛇口温度センサ
【図１】
2005172257.tif 000004
【図２】
2005172257.tif 000005